【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
ファインダ光学系と、
焦点検出デバイスと、
入射した光束を前記ファインダ光学系に導く第１の位置、及び入射した光束を前記焦点検出デバイスに導く第２の位置とに切り換え可能な第１のミラーと、
入射した光束を前記焦点検出デバイスに導く第３の位置、及び光束が入射しない第４の位置とに切り換え可能な第２のミラーと、
前記第１のミラーを前記第２の位置に位置決めする第１の位置決め部材と、
前記第２のミラーを前記第３の位置に位置決めする第２の位置決め部材とを有し、
前記第２の位置決め部材は前記第１の位置決め部材とは独立した別部材であることを特徴とする光学機器。
【請求項２】
前記第１のミラーを駆動する第１の駆動部材と、
前記第１の駆動部材と当接することで、前記第１のミラーを前記第２の位置に位置決めする第３の位置決め部材と、
前記第２のミラーを駆動する第２の駆動部材と、
前記第２の駆動部材と当接することで、前記第２のミラーを前記第３の位置に位置決めする第４の位置決め部材とを有することを特徴とする請求項１に記載の光学機器。
【請求項３】
撮像光軸から前記第１の位置決め部材までの距離と、前記光軸から前記第２の位置決め部材までの距離とが互いに異なることを特徴とする請求項１又は２に記載の光学機器。
【請求項４】
撮像光軸から前記第１の位置決め部材までの距離が、前記光軸から前記第２の位置決め部材との距離よりも短いことを特徴とする請求項３に記載の光学機器。
【請求項５】
前記第１の位置決め部材及び前記第２の位置決め部材は偏芯ピンであり、該偏芯ピンを回転させることで前記第１の位置決め部材及び前記第２の位置決め部材の調整が可能であることを特徴とする請求項１から４のいずれか１つに記載の光学機器。
【請求項６】
前記第１のミラーはハーフミラーであり、前記第２のミラーは前記第１のミラーを透過した光束を前記焦点検出デバイスに導くことを特徴とする請求項１から５のいずれか１つに記載の光学機器。
【請求項７】
前記第１及び第２のミラーを駆動するミラー駆動部を有し、前記第３及び第４の位置決め部材が、前記ミラー駆動部が配置される側に設けられていることを特徴とする請求項２に記載の光学機器。
【手続補正２】
【補正対象書類名】明細書
【補正対象項目名】０００６
【補正方法】変更
【補正の内容】
【０００６】
上記課題を解決するために、本願発明の光学機器は、ファインダ光学系と、焦点検出デバイスと、入射した光束を前記ファインダ光学系に導く第１の位置、及び入射した光束を焦点検出デバイスに導く第２の位置とに切り換え可能な第１のミラーと、入射した光束を焦点検出デバイスに導く第３の位置、及び光束が入射しない第４の位置とに切り換え可能な第２のミラーと、第１のミラーを第２の位置に位置決めする第１の位置決め部材と、第２のミラーを第３の位置に位置決めする第２の位置決め部材とを有する。そして、第２の位置決め部材は第１の位置決め部材とは独立した別部材であることを特徴とする。
【手続補正３】
【補正対象書類名】明細書
【補正対象項目名】０００７
【補正方法】変更
【補正の内容】
【０００７】
本発明によれば、第１の位置決め部材と第２の位置決め部材がそれぞれ独立した別部材であるため、第２の位置に位置決めされる第１のミラー及び第３の位置に位置決めされる第２のミラーの位置を、別々に調整することができる。これにより、調整精度の向上及び調整時間の短縮化を図ることができる。
【手続補正４】
【補正対象書類名】明細書
【補正対象項目名】００２０
【補正方法】変更
【補正の内容】
【００２０】
図２から図４において、２０はミラーボックスであり、２１はハーフミラーユニットであり、このハーフミラーユニット２１はハーフミラー（第１のミラー）２１ａ及びハーフミラーレバー２１ｂによって構成されている。
【手続補正５】
【補正対象書類名】明細書
【補正対象項目名】００２２
【補正方法】変更
【補正の内容】
【００２２】
２３はサブミラーユニットであり、サブミラー（第２のミラー）２３ａ及びサブミラーレバー２３ｂによって構成されている。サブミラー２３ａを保持するサブミラーレバー２３ｂは、ミラーボックス２０に設けられた回転軸２３ｃ周りに回動可能に取り付けられている。
【手続補正６】
【補正対象書類名】明細書
【補正対象項目名】００３０
【補正方法】変更
【補正の内容】
【００３０】
ここで、３５３は、ミラーボックス２０に対して固定されたサブミラーレバー位置決め部材（第４の位置決め部材）であり、ＯＶＦモードにおいて、サブミラーレバー２３ｂおよび後述するサブミラーホルダーレバー（第２の駆動部材）２１０に当接することにより、撮影光路内における第３の位置にサブミラーユニット２３を位置決めする（図２参照）。
【手続補正７】
【補正対象書類名】明細書
【補正対象項目名】００３１
【補正方法】変更
【補正の内容】
【００３１】
３５４は、ミラーボックス２０に対して固定されたサブミラー位置決め部材（第２の位置決め部材）であり、ＯＶＦモードにおいて、サブミラー２３ａに当接することにより、撮影光路内における第３の位置にサブミラーユニット２３を位置決めする。この第３の位置に配置されたサブミラーユニット２３は、撮影レンズ５０ａから入射した光を、焦点検出ユニット６０に向けて反射する。
【手続補正８】
【補正対象書類名】明細書
【補正対象項目名】００３２
【補正方法】変更
【補正の内容】
【００３２】
３５０は、ミラーボックス２０に対して固定されたハーフミラー位置決め部材であり、ＯＶＦモードにおいて、ハーフミラー２１ａに当接することにより、撮影光路内における第１の位置にハーフミラーユニット２１を位置決めしている（図２参照）。
【手続補正９】
【補正対象書類名】明細書
【補正対象項目名】００３３
【補正方法】変更
【補正の内容】
【００３３】
３５５も、ミラーボックス２０に固定されたハーフミラー位置決め部材であり、図２の紙面垂直方向視において、ハーフミラー位置決め部材３５０と略同一の位置に配置されている。
【手続補正１０】
【補正対象書類名】明細書
【補正対象項目名】００３５
【補正方法】変更
【補正の内容】
【００３５】
３５２は、ミラーボックス２０に対して固定されたハーフミラーレバー位置決め部材（第３の位置決め部材）であり、ＥＶＦモードにおいて、ハーフミラーレバー２１ｂおよび後述するハーフミラーホルダーレバー位置決め部材（ハーフミラーホルダーレバー１１０とともに第１の駆動部材を構成する）１１１に当接することにより、ハーフミラーユニット２１を撮影光路内における第２の位置に位置決めしている（図３参照）。
【手続補正１１】
【補正対象書類名】明細書
【補正対象項目名】００３６
【補正方法】変更
【補正の内容】
【００３６】
３５１は、ミラーボックスに２０に対して固定されたハーフミラー位置決め部材（第１の位置決め部材）であり、ＥＶＦモードにおいて、ハーフミラー２１ａに当接することにより、ハーフミラーユニット２１を撮影光路内における第２の位置に位置決めしている（図３参照）。
【手続補正１２】
【補正対象書類名】明細書
【補正対象項目名】００３８
【補正方法】変更
【補正の内容】
【００３８】
３５６も、ミラーボックス２０に固定されたハーフミラー位置決め部材（第１の位置決め部材）であり、図３の紙面垂直方向視において、ハーフミラー位置決め部材３５１と略同一の位置に配置されている。
【手続補正１３】
【補正対象書類名】明細書
【補正対象項目名】００４６
【補正方法】変更
【補正の内容】
【００４６】
１１０は、ハーフミラーホルダーレバー（第１の駆動部材）であり、ハーフミラー受け板１０２をハーフミラー反転軸１０７周りに回動可能に支持している。１１１は、ハーフミラーホルダーレバー位置決め部材（第１の駆動部材）であり、ハーフミラーレバー位置決め部材３５２に対して当接することにより、ＥＶＦモードでのハーフミラーホルダーレバー１１０の位置を安定させている。すなわち、図３に示すように、ＥＶＦモードにおいて、ハーフミラーユニット２１を撮影光路内に位置決めしている。
【手続補正１４】
【補正対象書類名】明細書
【補正対象項目名】００５１
【補正方法】変更
【補正の内容】
【００５１】
２１０はサブミラーホルダーレバー（第２の駆動部材）であり、ミラーボックス２０に対して、サブミラーホルダー２０１を回動可能に支持している。２１１はサブミラー駆動軸であり、サブミラーホルダーレバー２１０に対して固定されており、２１２はサブミラーヒンジ軸であり、サブミラーユニット２３をミラーボックス２０に対して、回動可能に支持している。
【手続補正１５】
【補正対象書類名】明細書
【補正対象項目名】００５３
【補正方法】変更
【補正の内容】
【００５３】
サブミラー駆動バネ２１３により駆動されたサブミラーホルダーレバー２１０を、前述したサブミラーレバー位置決め部材３５３に当接させることにより、ＯＶＦモードでのサブミラーユニット２３を位置決めしている。
【手続補正１６】
【補正対象書類名】明細書
【補正対象項目名】００５８
【補正方法】変更
【補正の内容】
【００５８】
これにより、ミラー駆動レバー３１３のオーバーチャージ量を吸収すると共に、ミラーダウン時のミラーダウン力を発生させている。３１５は、ミラー駆動バネであり、その一端はミラーボックス２０に対して固定され、他端はミラー駆動レバー３１３に対して固定されており、このミラー駆動バネ３１５のバネ力により、ハーフミラーユニット２１をアップさせる方向に駆動できるようにしている。
【手続補正１７】
【補正対象書類名】明細書
【補正対象項目名】００６４
【補正方法】変更
【補正の内容】
【００６４】
３５５及び３５６は、ハーフミラー位置決め部材であり、それぞれ、ＯＶＦモード及びＥＶＦモードでのハーフミラーユニット２３の位置決めを補助をしている。つまり、図８に示すように、ハーフミラー位置決め部材３５０、３５１、３５２、３５５、３５６のうち、ハーフミラーユニット２１に対して駆動力を付与するハーフミラー駆動レバー３１０側に配置された、ハーフミラー位置決め部材３５０、３５１、３５２を主の位置決め部材としている。
【手続補正１８】
【補正対象書類名】明細書
【補正対象項目名】００６５
【補正方法】変更
【補正の内容】
【００６５】
このように、ハーフミラー駆動レバー３１０（ミラー駆動部）側にハーフミラー位置決め部材３５０、３５１、３５２を配置することにより、位置調整後の位置決め位置を安定させることができる。また、図８から分かるように、サブミラー駆動レバー３１１（ミラー駆動部）側にサブミラー位置決め部材３５３を配置することにより、位置調整後の位置決め位置を安定させることができる。
【手続補正１９】
【補正対象書類名】明細書
【補正対象項目名】００６６
【補正方法】変更
【補正の内容】
【００６６】
ハーフミラー位置決め部材３５６とサブミラー位置決め部材３５４は撮像光軸からの距離を異ならせることで、それぞれの位置決め部材として成り立たせている。これにより、位置決め部材の配置の自由度を高めることができる。ここで、図２及び図３から分かるように、撮像光軸からハーフミラー位置決め部材３５６までの距離は、撮像光軸からサブミラー位置決め部材３５４までの距離よりも短い。
【手続補正２０】
【補正対象書類名】明細書
【補正対象項目名】００６７
【補正方法】変更
【補正の内容】
【００６７】
上記位置決め部材は、偏芯ピンによって構成されており、ミラーボックス２０に対して回転可能に取り付けられており、その回転軸は偏芯している。したがって、各位置決め部材をこの回転軸周りに回転させることにより、ＯＶＦモード及びＥＶＦモードにおける、ハーフミラーユニット２１及びサブミラーユニット２３の位置を調整することができる。
【手続補正２１】
【補正対象書類名】明細書
【補正対象項目名】０１１０
【補正方法】変更
【補正の内容】
【０１１０】
以上発明したように上述の実施例によれば、ＯＶＦモードにおけるサブミラーユニット２３とＥＶＦモードにおけるハーフミラーユニット２１とを位置決めする部材を異ならせている（独立した別部材）としているため、各モードでの光路分割系の調整時間の短縮及び調整精度の向上を図ることができる。
【手続補正２２】
【補正対象書類名】明細書
【補正対象項目名】０１１１
【補正方法】変更
【補正の内容】
【０１１１】
また、ミラー駆動レバーの近傍（ミラー駆動部側）に位置決め部材を設けることで、光路分割系の変形を防止し、光路分割系の安定性を向上することができる。